(57)【要約】【課題】複数の分析項目を分析するための分析装置において、表示部でのパラメータ画面の表示エリアを減らすことなく、かつパラメータ画面の切替えごとに項目選択画面を表示させる操作を行なうことなく、パラメータ画面の切替えを行なう。【解決手段】複数の分析項目のパラメータ情報が記憶されている記憶部１と、項目選択画面を表示部５に表示させる項目選択画面制御部７と、選択された分析項目のパラメータ情報を記憶部１から読み出してパラメータ画面を表示部５に表示させるパラメータ画面制御部３を備えている。項目選択画面制御部７は表示部５にパラメータ画面が表示されている状態で、パラメータ画面よりも前面に項目選択画面をパラメータ画面の表示内容を認識できる程度に半透明に表示させ、項目選択画面でいずれかの分析項目が選択されてパラメータ画面制御部３によりパラメータ画面が切り替えて表示された後も項目選択画面を閉じずに表示させ続ける。【選択図】図１
2008096182.tif 000002
【特許請求の範囲】
【請求項１】
複数の分析項目のパラメータ情報が記憶されている記憶部と、分析項目を選択するための項目選択画面を表示部に表示させる項目選択画面制御部と、項目選択画面で選択された分析項目のパラメータ情報を記憶部から読み出してパラメータ画面を表示部に表示させるパラメータ画面制御部を備えた分析装置において、
前記項目選択画面制御部は、前記表示部に前記パラメータ画面が表示されている状態で、前記パラメータ画面よりも前面に前記項目選択画面を前記パラメータ画面の表示内容を認識できる程度に半透明に表示させ、前記項目選択画面でいずれかの分析項目が選択されて前記パラメータ画面制御部により前記パラメータ画面が切り替えて表示された後も前記項目選択画面を閉じずに表示させ続けることを特徴とする分析装置。
【請求項２】
前記パラメータ画面制御部は前記パラメータ画面を前記表示部の全表示範囲に表示させる請求項１に記載の分析装置。
【請求項３】
前記項目選択画面制御部は前記項目選択画面を移動可能に前記表示部の表示範囲の一部分に表示させる請求項１又は２に記載の分析装置。
【発明の詳細な説明】
【技術分野】
【０００１】
本発明は、例えば生物学自動分析装置、血液凝固分析装置、免疫分析装置などの分析装置に関し、特に、複数の分析項目のパラメータ情報が記憶されている記憶部と、分析項目を選択するための項目選択画面を表示部に表示させる項目選択画面制御部と、項目選択画面で選択された分析項目のパラメータ情報を記憶部から読み出してパラメータ画面を表示部に表示させるパラメータ画面制御部を備えた分析装置に関するものである。
【背景技術】
【０００２】
従来、複数の分析項目の分析を行なう分析装置では、表示部に、分析項目を選択することができる項目選択画面を表示させ、項目選択画面で選択された１つの分析項目のパラメータ画面を表示させるという画面構成を取っていた。パラメータ画面にはパラメータの詳細情報が表示される。
従来の分析装置では、項目選択画面は分析項目が選択されると自動的に閉じるようになっている。別の分析項目のパラメータ画面に切り替えるためには項目選択画面を再度開かなければならなかった。
【発明の開示】
【発明が解決しようとする課題】
【０００３】
多項目間でパラメータを比較したり探したりする場合、何度も項目選択画面を表示させなければならず、手間と切替え時間が使用者の負担になるという問題があった。
また、表示部での項目選択画面の表示エリアを割いてパラメータ画面と項目選択画面を同時に表示することもできるが、パラメータ画面の表示エリアが減るという問題があった。
【０００４】
そこで本発明は、表示部でのパラメータ画面の表示エリアを減らすことなく、かつパラメータ画面の切替えごとに項目選択画面を表示させる操作を行なうことなく、パラメータ画面の切替えを行なうことができる分析装置を提供することを目的とするものである。
【課題を解決するための手段】
【０００５】
本発明にかかる分析装置は、複数の分析項目のパラメータ情報が記憶されている記憶部と、分析項目を選択するための項目選択画面を表示部に表示させる項目選択画面制御部と、項目選択画面で選択された分析項目のパラメータ情報を記憶部から読み出してパラメータ画面を表示部に表示させるパラメータ画面制御部を備えた分析装置であって、上記項目選択画面制御部は、上記表示部に上記パラメータ画面が表示されている状態で、上記パラメータ画面よりも前面に上記項目選択画面を上記パラメータ画面の表示内容を認識できる程度に半透明に表示させ、上記項目選択画面でいずれかの分析項目が選択されて上記パラメータ画面制御部により上記パラメータ画面が切り替えて表示された後も上記項目選択画面を閉じずに表示させ続ける。
【０００６】
本発明の分析装置において、上記パラメータ画面制御部は上記パラメータ画面を上記表示部の全表示範囲に表示させる例を挙げることができる。ただし、本発明はこれに限定されるものではなく、パラメータ画面制御部はパラメータ画面を表示部の表示範囲の一部分に表示させてもよい。
【０００７】
さらに、上記項目選択画面制御部は上記項目選択画面を移動可能に上記表示部の表示範囲の一部分に表示させる例を挙げることができる。ただし、本発明はこれに限定されるものではなく、項目選択画面制御部は項目選択画面を表示部の全表示範囲に表示させてもよい。
【発明の効果】
【０００８】
本発明の分析装置では、項目選択画面制御部は、表示部にパラメータ画面が表示されている状態で、パラメータ画面よりも前面に項目選択画面をパラメータ画面の表示内容を認識できる程度に半透明に表示させ、項目選択画面でいずれかの分析項目が選択されてパラメータ画面制御部によりパラメータ画面が切り替えて表示された後も項目選択画面を閉じずに表示させ続けるようにしたので、表示部でのパラメータ画面の表示エリアを減らすことなく、かつパラメータ画面の切替えごとに項目選択画面を表示させる操作を行なうことなく、パラメータ画面の切替えを行なうことができる。これにより、分析項目の選択とそのパラメータ画面の詳細情報の参照を１回の操作できるので、画面を行ったり来たりする手間や印刷してから比較するなどの手間をなくすことができる。
【０００９】
本発明の分析装置において、パラメータ画面制御部はパラメータ画面を表示部の全表示範囲に表示させるようにすれば、パラメータ画面を大きく表示することができ、パラメータ画面での文字のサイズやボタンのサイズを大きく表示することができる。この態様は表示部としてタッチスクリーン方式のものを用いる場合に特に有効である。
【００１０】
また、項目選択画面制御部は項目選択画面を移動可能に表示部の表示範囲の一部分に表示させるようにすれば、項目選択画面を閉じなくても、表示部の項目選択画面が表示されている以外の表示範囲でパラメータ画面でのボタンの選択や数値入力などの操作を行なうことができる。
【発明を実施するための最良の形態】
【００１１】
図１は一実施例を示すブロック図である。この実施例では本発明の分析装置を全自動血液凝固分析装置に適用した。
【００１２】
分析装置は複数の分析項目のパラメータ情報が記憶されている記憶部１を備えている。記憶部１は、例えばＰＴ（プロトロンビン値）、ＡＰＴＴ（活性化部分 トロンボプラスチン時間）、Ｆｉｂ（フィブリノーゲン）、Ｔ（トロンボテスト）、Ｈ（ヘパプラスチンテスト）などの分析項目のパラメータ情報を記憶している。
【００１３】
記憶部１にパラメータ画面制御部３が接続されている。パラメータ画面制御部３は項目選択画面で選択された分析項目のパラメータ情報を記憶部１から読み出してパラメータ画面を表示部５に表示させる。
分析項目を選択するための項目選択画面を表示部５に表示させる項目選択画面制御部７を備えている。項目選択画面制御部７は、パラメータ画面で項目選択ボタンが押されたときに、パラメータ画面よりも前面に項目選択画面をパラメータ画面の表示内容を認識できる程度に半透明に表示させる。
【００１４】
パラメータ画面制御部３及び項目選択画面制御部７に入力部９が接続されている。入力部９は操作者がパラメータ画面及び項目選択画面の開閉、パラメータ画面での各種設定入力、項目選択画面での分析項目の選択などを行なうためのものである。この実施例では、表示部９はタッチスクリーンとキーボードによって構成されている。
【００１５】
図２はこの実施例の動作を示すフローチャートである。図３から図１０はこの実施例の動作中に表示部に表示される画面を示す図である。図１から図１０を参照してこの実施例の動作を説明する。
【００１６】
（ステップＳ１）操作者によりパラメータ画面を表示する指示が入力部９により入力されると、パラメータ画面制御部３は記憶部１からパラメータ情報を読み出してパラメータ画面１１ａを表示部５の全表示範囲に表示させる（図３参照）。例えば、各分析項目のパラメータは４つに分けて表示されるようになっており、パラメータ画面１１ａの右上に表示された４つのタブ１３ａ，１３ｂ，１３ｃ，１３ｄによってパラメータ画面を切り替えることができる。パラメータ画面１１ａには「閉じる」ボタン１５と「項目選択」ボタン１７も設けられている。この実施例では表示部５としてタッチスクリーン方式のものを用いている。操作者は各ボタンを表示部５での指圧などにより選択することができる。パラメータ画面１１ａを表示部５の全表示範囲に表示させることにより、各ボタンを大きくすることができ、タッチスクリーン方式に対して有利である。
【００１７】
図３から図６を参照してタブ１３ａ，１３ｂ，１３ｃ，１３ｄの選択によって表示されるパラメータ画面について説明する。
パラメータ画面制御部３がパラメータ画面を表示させるとき、表示部５に最初に表示させる分析項目及びタブは予め設定されており、例えばこの実施例ではＰＴの全般タブ１３ａのパラメータ画面１１ａである（図３参照）。全般パラメータ画面１１ａでは、緩衝液や希釈液、試薬の設定などを行なうことができる。なお、パラメータ画面が起動されたときに最初に表示されるパラメータ画面はパラメータ画面１１ａに限定されるものではなく、任意に設定することができる。
【００１８】
操作者により分注条件タブ１３ｂが選択されると、パラメータ画面制御部３はＰＴの分注条件のパラメータ画面１１ｂを表示部５に表示させる（図４参照）。分注条件パラメータ画面１１ｂでは、サンプル分注条件や試薬分注条件の設定などを行なうことができる。
【００１９】
操作者によりキャリブレーション・コントロール条件タブ１３ｃが選択されると、パラメータ画面制御部３はＰＴのキャリブレーション・コントロール条件のパラメータ画面１１ｃを表示部５に表示させる（図５参照）。キャリブレーション・コントロール条件パラメータ画面１１ｃでは、キャリブレーション条件の設定などを行なうことができる。
【００２０】
操作者により反応過程タブ１３ｄが選択されると、パラメータ画面制御部３はＰＴの反応過程のパラメータ画面１１ｄを表示部５に表示させる（図６参照）。反応過程パラメータ画面１１ｄでは、測定方法などの測定条件や読取値限界値の設定などを行なうことができる。
【００２１】
図２及び図３に戻って動作の説明を続ける。
（ステップＳ２）パラメータ画面制御部３はパラメータ画面で「閉じる」ボタン１５が選択されたかどうかを判断する。「閉じる」ボタン１５が選択されていない場合（Ｎｏ）、ステップＳ３に進む。
【００２２】
（ステップＳ３）パラメータ画面制御部３はパラメータ画面で「項目選択」ボタン１７が選択されたかどうかを判断する。「項目選択」ボタン１７が選択されていない場合（Ｎｏ）、ステップＳ２に戻る。「項目選択」ボタン１７が選択された場合（Ｙｅｓ）、ステップＳ４に進む。
【００２３】
（ステップＳ４）項目選択画面制御部７は入力部９から「項目選択」ボタン１７が選択された旨の信号を受け取ると、表示部５に項目選択画面１９を表示させる（図７参照）。図７は図３のパラメータ画面１１ａが表示部５に表示されている状態で「項目選択」ボタン１７が選択されたときの表示状態を示す。項目選択画面１９はパラメータ画面１１ａよりも前面に表示される。さらに、項目選択画面１９はパラメータ画面１１ａの表示内容を認識できる程度に半透明に表示される。これにより、表示部５でのパラメータ画面１１ａの表示エリアを減らすことなく、項目選択画面１９を表示することができる。
【００２４】
項目選択画面１９には「閉じる」ボタン２１や複数の分析項目ボタン２３−１，２３−２，２３−３・・・などが設けられている。図７では１３個（０００１〜００１３）の分析項目が設定されている。
分析項目ボタン２３−１，２３−２，２３−３・・・のうち、選択されている分析項目、すなわちパラメータ画面に表示されている分析項目に対応する分析項目ボタンが他の分析項目ボタンよりも濃く表示されて、どの分析項目が選択されているのかが分かるようになっている。図７ではＰＴボタン２３−１が選択されている。
【００２５】
項目選択画面１９は表示部５の表示範囲の一部分に表示される。これにより、表示部５の項目選択画面１９が表示されている以外の表示範囲で全般パラメータ画面１１ａでのボタンの選択や数値入力などの操作をタッチスクリーンにより行なうことができる。例えば、項目選択画面１９が表示されている状態で、操作者により全般パラメータ画面１１ａで分注条件タブ１３ｂが選択されると、図８に示すように、パラメータ画面制御部３は全般パラメータ画面１１ａを分注条件パラメータ画面１１ｂに切り替える。このとき、項目選択画面１９は閉じられない。
【００２６】
また、項目選択画面１９の表示範囲内でのパラメータ画面のボタンは、タッチスクリーンでは項目選択画面１９のボタンが優先されるので選択することができない。図９に示すように、項目選択画面１９は移動させることができるので、項目選択画面１９を閉じずに移動させることにより、項目選択画面１９の移動前に項目選択画面１９の表示範囲内にあったパラメータ画面のボタンを項目選択画面１９の移動後にタッチスクリーンで選択することができる。
【００２７】
図２及び図７に戻って動作の説明を続ける。
（ステップＳ５）項目選択画面１９が表示された後、パラメータ画面制御部３はパラメータ画面で「閉じる」ボタン１５が選択されたかどうかを判断する。「閉じる」ボタン１５が選択されていない場合（Ｎｏ）、ステップＳ６に進む。
【００２８】
（ステップＳ６）項目選択画面制御部７は項目選択画面１９で「閉じる」ボタン２１が選択されたかどうかを判断する。「閉じる」ボタン２１が選択されていない場合（Ｎｏ）、ステップＳ７に進む。
【００２９】
（ステップＳ７）項目選択画面制御部７は項目選択画面１９で分析項目ボタン２３−１，２３−２，２３−３・・・のいずれかが選択されたかどうかを判断する。いずれの分析項目ボタン２３−１，２３−２，２３−３・・・も選択されていない場合（Ｎｏ）、ステップＳ５に戻る。いずれかの分析項目ボタン２３−１，２３−２，２３−３・・・が選択された場合（Ｙｅｓ）、ステップＳ８に進む。
【００３０】
（ステップＳ８）例えば、図７に示すようにＰＴの全般パラメータ画面１１ａが表示されている状態で項目選択画面１９においてＡＰＴＴボタン２３−２が選択された場合、パラメータ画面制御部３はＰＴの全般パラメータ画面１１ａに替えてＡＰＴＴの全般パラメータ画面２５ａを表示部５に表示させる（図１０参照）。このとき、項目選択画面１９は閉じられない。これにより、操作者は、パラメータ画面の切替えごとに項目選択画面１９を表示させる操作を行なうことなく、パラメータ画面の切替えを行なうことができる。他の分析項目ボタンが選択されたときも、同様にパラメータ画面が切り替わる。
なお、パラメータ画面が切り替えられたときに選択されているタブ１３ａ，１３ｂ，１３ｃ，１３ｄは切替え前に選択されているタブに対応する。例えば、ＰＴの全般パラメータ画面１１ａ（図７）が表示されている状態でＡＰＴＴボタン２３−２が選択されたときはＡＰＴＴの全般パラメータ画面２５ａ（図１０）に切り替わる。また、図８に示したようにＡＴの分析条件パラメータ画面１１ｂが表示されている状態でＡＰＴＴボタン２３−２が選択されたときは、ＡＰＴＴの分析条件パラメータ画面に切り替わる。
【００３１】
ステップＳ８でパラメータ画面を切り替えた後、ステップＳ５に戻る。
また、ステップＳ６において、項目選択画面１９で「閉じる」ボタン２１が選択された場合は項目選択画面１９を閉じ、ステップＳ２に戻る。
また、ステップＳ２において、パラメータ画面で「閉じる」ボタン１５が選択された場合はパラメータ画面を閉じ（ステップＳ１０）、パラメータ画面の表示を終了する。
また、ステップＳ５において、項目選択画面１９が表示されている状態で、パラメータ画面で「閉じる」ボタン１５が選択された場合は項目選択画面１９及びパラメータ画面を閉じ（ステップＳ１１）、パラメータ画面の表示を終了する。
【００３２】
以上、本発明の実施例を説明したが、本発明はこれらに限定されるものではなく、形状、材料、配置、個数などは一例であり、特許請求の範囲に記載された本発明の範囲内で種々の変更が可能である。
例えば、上記実施例では、本発明を全自動血液凝固分析装置に適用しているが、本発明が適用される分析装置はこれに限定されるものではなく、複数の分析項目を分析するための分析装置であれば適用することができる。
【００３３】
また、上記実施例では、キーボードとタッチスクリーン方式を組み合わせた入力部９を用いているが、入力部はこれに限定されるものではなく、例えばマウスとキーボードの組合せなど、他の入力方式を用いてもよい。
また、上記実施例では、各分析項目のパラメータを４つに分けて表示させるようにしているが、本発明はこれに限定されるものではなく、各分析項目のパラメータの全部を１つのパラメータ画面で表示してもよいし、２つ、３つ又は５つ以上に分けて表示させるようにしてもよい。
【図面の簡単な説明】
【００３４】
【図１】一実施例を示すブロック図である。
【図２】同実施例の動作を示すフローチャートである。
【図３】同実施例の動作中に表示部に表示される画面を示す図である。
【図４】同実施例の動作中に表示部に表示される他の画面を示す図である。
【図５】同実施例の動作中に表示部に表示されるさらに他の画面を示す図である。
【図６】同実施例の動作中に表示部に表示されるさらに他の画面を示す図である。
【図７】同実施例の動作中に表示部に表示されるさらに他の画面を示す図である。
【図８】同実施例の動作中に表示部に表示されるさらに他の画面を示す図である。
【図９】同実施例の動作中に表示部に表示されるさらに他の画面を示す図である。
【図１０】同実施例の動作中に表示部に表示されるさらに他の画面を示す図である。
【符号の説明】
【００３５】
１  記憶部
３  パラメータ画面制御部
５  表示部
７  項目選択画面制御部
９  入力部
１１ａ，１１ｂ，１１ｃ，１１ｄ，２５ａ  パラメータ画面
１９  項目選択画面
【図１】
2008096182.tif 000003
【図２】
2008096182.tif 000004
【図３】
2008096182.tif 000005
【図４】
2008096182.tif 000006
【図５】
2008096182.tif 000007
【図６】
2008096182.tif 000008
【図７】
2008096182.tif 000009
【図８】
2008096182.tif 000010
【図９】
2008096182.tif 000011
【図１０】
2008096182.tif 000012